(57)【要約】【課題】効率的に洗浄作業が行える上、詰まった内容物も簡単に取り除くことができる、新たなエアゾール容器用ノズルを提案する。【解決手段】本発明におけるエアゾール容器用ノズル５は、ステム１ｃに繋がる接続部Ｃ、及び該接続部Ｃに連結するとともに上方が開放した凹部空間Ｓを形成する基部Ｂを有し、該基部Ｂの一端部に、該接続部Ｃに繋がるステム１ｃからの内容物を該凹部空間Ｓに導入する入口孔５ｇを備えるとともに、該基部Ｂの他端部に、該凹部空間Ｓから内容物を排出する出口孔５ｈを備えてなるベース５ａと、該ベース５ａにヒンジ５ｃを介して連結するとともに該ヒンジ５ｃの折り曲げにて前記凹部空間Ｓの上方を閉鎖するカバー５ｂとを備えることを特徴とする。【選択図】図１
2014234189.tif 000002
【特許請求の範囲】
【請求項１】
エアゾール容器のステムに接続され、該ステムの押し下げにて内容物を吐出させるエアゾール容器用ノズルであって、
前記ステムに繋がる接続部、及び該接続部に連結するとともに上方が開放した凹部空間を形成する基部を有し、該基部の一端部に、該接続部に繋がるステムからの内容物を該凹部空間に導入する入口孔を備えるとともに、該基部の他端部に、該凹部空間から内容物を排出する出口孔を備えてなるベースと、
該ベースにヒンジを介して連結するとともに該ヒンジの折り曲げにて前記凹部空間の上方を閉鎖するカバーとを備えるエアゾール容器用ノズル。
【請求項２】
前記接続部は、前記ステムを取り囲んで該ステムに嵌合する筒状壁であり、前記基部は、該筒状壁に連結する底壁と該底壁から起立するベース環状壁とを連結したものである、請求項１に記載のエアゾール容器用ノズル。
【請求項３】
前記カバーは、前記ベース環状壁の内周面又は外周面に全周に亘って当接するカバー環状壁を有する請求項２に記載のエアゾール容器用ノズル。
【請求項４】
前記ベースは、前記ヒンジを設けた縁部に対向する他の縁部に係合部を有し、前記カバーは、該係合部に係合して該カバーを折り曲げた状態に維持する被係合部を有する請求項１〜３の何れかに記載のエアゾール容器用ノズル。
【発明の詳細な説明】
【技術分野】
【０００１】
本発明は、エアゾール容器のステムに接続され、容器内の内容物を吐出するエアゾール容器用ノズルに関するものであり、特にノズルの内側の洗浄を行いやすくしたものに関する。
【背景技術】
【０００２】
加圧媒体を利用して内容物を噴出させるエアゾール式の容器は、整髪剤や毛染め剤等の化粧分野を始め、医療分野や食品分野へも展開されていて、その需要は今後益々増大していくものと考えられている。そして、このようなエアゾール容器のステムに接続され、ステムを押し下げて内容物を吐出させるノズルとしては、単一の容器に取り付けられて１種類の内容物を吐出させるものの他、２つの容器を並べた二連式容器に取り付けられて２種類の内容物を同時に吐出させるもの（例えば特許文献１参照）等、種々のノズルが知られている。
【先行技術文献】
【特許文献】
【０００３】
【特許文献１】特開２００２−１７９１６７号公報
【発明の概要】
【発明が解決しようとする課題】
【０００４】
ところで、内容物によっては、空気に触れたり別の種類の内容物と混ざり合ったりすることで固化してしまうものがあり、このような内容物を吐出させた後は、ノズルが目詰まりしてしまうことがある。このような不具合に対し、特許文献１には、ステムへの接続部となる嵌着部２４を設けた流路基部２９と、パイプ２０ａを設けた流路蓋２９ａとを、インテグラルヒンジ部２９ｂにて連結したノズル２０が示されていて、流路基部２９と流路蓋２９ａとを閉鎖状態にすることで、これらの間にパイプ２０ａに繋がる流路２６が形成されて内容物がパイプ２０から吐出可能となり、また、これらを開放状態にすることで、流路２６が露出されて、内部の水洗いができるとしている。
【０００５】
しかし、特許文献１に記載のノズル２０では、パイプ２０ａは筒状のままであるので、この内側の洗浄は、パイプ２０ａの開口から水を流し込んだり、細いブラシ等を出し入れしたりするしかなく、また、詰まった内容物を完全に取り除くことも困難であった。このため、効率的に洗浄作業が行える上、詰まった内容物も取り除きやすい新たなノズルの登場が切に望まれていた。
【０００６】
本発明は、このような点を解決することを課題とするものであり、その目的は、効率的に洗浄作業が行える上、詰まった内容物も簡単に取り除くことができる、新たなエアゾール容器用ノズルを提案するところにある。
【課題を解決するための手段】
【０００７】
本発明は、  エアゾール容器のステムに接続され、該ステムの押し下げにて内容物を吐出させるエアゾール容器用ノズルであって、
前記ステムに繋がる接続部、及び該接続部に連結するとともに上方が開放した凹部空間を形成する基部を有し、該基部の一端部に、該接続部に繋がるステムからの内容物を該凹部空間に導入する入口孔を備えるとともに、該基部の他端部に、該凹部空間から内容物を排出する出口孔を備えてなるベースと、
該ベースにヒンジを介して連結するとともに該ヒンジの折り曲げにて前記凹部空間の上方を閉鎖するカバーとを備えるエアゾール容器用ノズルである。
【０００８】
前記接続部は、前記ステムを取り囲んで該ステムに嵌合する筒状壁であり、前記基部は、該筒状壁に連結する底壁と該底壁から起立するベース環状壁とを連結することが好ましい。
【０００９】
前記カバーは、前記ベース環状壁の内周面又は外周面に全周に亘って当接するカバー環状壁を有することが好ましい。
【００１０】
前記ベースは、前記ヒンジを設けた縁部に対向する他の縁部に係合部を有し、前記カバーは、該係合部に係合して該カバーを折り曲げた状態に維持する被係合部を有することが好ましい。
【発明の効果】
【００１１】
本発明のエアゾール容器用ノズルは、上方が開放した凹部空間を形成する基部をステムに繋がる接続部に連結し、基部の一端部にステムからの内容物を凹部空間に導入する入口孔を設けるとともに、基部の他端部に凹部空間から内容物を排出する出口孔を設けたベースと、このベースにヒンジを介して連結するカバーとを備えていて、ヒンジにて折り曲げることで、凹部空間の上方がカバーで閉鎖されるので、入口孔から凹部空間に導入した内容物を、出口孔より吐出させることができる。一方、ノズルの内側を洗浄する際は、カバーを開けば凹部空間の上方が全て開放するので、ノズルの内側を簡単に洗浄することができる。特に、ステムを取り囲む筒状壁で接続部を形成し、筒状壁に連結する底壁とこの底壁から起立するベース環状壁とを連結して基部を形成する場合は、ノズルの形状が簡単になるのでより好ましい。
【００１２】
カバーに、ベース環状壁の内周面又は外周面に全周に亘って当接するカバー環状壁を設ける場合は、ベースとカバーとの合わせ面から内容物が漏れ出す不具合が有効に防止される。
【００１３】
ベースの、ヒンジを設けた縁部に対向する他の縁部に係合部を設け、カバーに、この係合部に係合する被係合部を設ける場合は、凹部空間を簡単に開放し、また閉鎖することができるので、ノズルの洗浄作業及び取り付け作業がより効率的に行えるようになる。
【図面の簡単な説明】
【００１４】
【図１】本発明に従うノズルの一つの実施形態を、エアゾール容器に装着した状態で示す、正面視での半断面図である。
【図２】図１に示すノズルの要部を示す、側面視での断面図である。
【図３】図１に示すノズルの平面視での半断面図である。
【図４】図１に示すノズルを開放した状態で示す、（ａ）は平面図であり、（ｂ）は（ａ）に示すＡ−Ａに沿う断面図である。
【図５】図４に示すノズルの変形例を示す平面図である。
【図６】本発明に従うノズルの他の実施形態を、エアゾール容器に装着した状態で示す、正面視での半断面図である。
【図７】図６に示すノズルの要部を示す、側面視での断面図である。
【図８】図６に示すノズルを開放した状態で示す、（ａ）は平面図であり、（ｂ）は（ａ）に示すＢ−Ｂに沿う断面図である。
【発明を実施するための形態】
【００１５】
以下、図面を参照して、本発明をより具体的に説明する。
図１は、本発明に従うノズルの一つの実施形態を、エアゾール容器に装着した状態で示す、正面視での半断面図であって、図２は、図１に示すノズルの要部を示す、側面視での断面図であって、図３は、図１に示すノズルの平面視での半断面図であって、図４は、図１に示すノズルを開放した状態で示す、（ａ）は平面図であり、（ｂ）は（ａ）に示すＡ−Ａに沿う断面図であって、図５は、図４に示すノズルの変形例を示す平面図である。なお、本明細書において「前方」とは、図２を参照して、内容物を外界に向けて吐出させる開口（出口孔５ｈ）が位置する側であり、「後方」とは、エアゾール容器の中心軸線を挟んでこれと反対側である。また「側方」とは、前方から後方に向かってエアゾール容器を見る際の左右方向である。
【００１６】
図１及び図２において、符号１はエアゾール容器（以下、単に「容器」と称す場合もある）であり、符号２はこの容器に取り付けられるカバー部材である。本実施形態でカバー部材２は、固定盤３及び外カバー４で構成されている。また、符号５は、ノズルである。
【００１７】
本実施形態でエアゾール容器１は、同形状となる２つのエアゾール缶を左右に並べた、一般に二連式エアゾール容器と称されるものである。エアゾール缶は、有底筒状となる金属製の容器本体１ａの上端部に、これもまた金属製となるマウンティングカップ１ｂの外縁を巻き締めして固着したものであり、それぞれのエアゾール缶には、互いに異なる種類の内容物が充填されている。また、マウンティングカップ１ｂの中央部には、押し下げによってエアゾール缶内に充填した内容物を噴出させるステム１ｃを設けている。
【００１８】
固定盤３は、２つのエアゾール缶を一括りにして保持するものであり、２つのマウンティングカップ１ｂのそれぞれを囲繞するとともにこれらのマウンティングカップ１ｂに係止される周壁３ａと、ステム１ｃを挿通させる開口３ｂを有し周壁３ａの上端と連結する天壁３ｃとを備えていて、周壁３ａには、この周壁３ａを下方から上方に向けて切り欠いてマウンティングカップ１ｂに係止させる際に周壁３ａを撓ませるスリット３ｄが設けられている。また、周壁３ａの側方には、下方に向かって外側に傾斜する傾斜面付きの係合爪３ｅが設けられている。
【００１９】
外カバー４は、ステム１ｃを露出させる開口４ａを有するとともに固定盤３の上方に位置する上壁４ｂを備えている。上壁４ｂは、図１に示すように、その側方外縁から起立する連結壁４ｃを介して頂壁４ｄに繋がっている。また、頂壁４ｄの周囲には、外周壁４ｇが連結していて、その前方及び後方には、開口４ｅ、４ｆ（図２参照）が設けられている。また、外周壁４ｇの側方には、図１に示すように、係合爪３ｅに係止される係合孔４ｈを有する揺動片４ｉが設けられている。揺動片４ｉは、その前方及び後方に設けた連結片４ｊによって外周壁４ｇに連結するものであり、連結片４ｊよりも上方に位置する揺動片４ｉの上方域を内側に押圧すれば、揺動片４ｉは連結片４ｊを中心に揺動し、係合孔４ｈが外側に変位して係合爪３ｅとの係合を外すことができる。
【００２０】
ノズル５は、組み立て後は図１〜図３に示す形態となるものであるが、組み立て前は、図４（ａ）、（ｂ）に示す形態となるものであって、ベース５ａとカバー５ｂとを、ヒンジ５ｃを介して連結したものである。
【００２１】
ベース５ａは、ステム１ｃに接続される接続部Ｃ、及び接続部Ｃに連結するとともに上方が開放した凹部空間Ｓを形成する基部Ｂを有するものである。本実施形態において接続部Ｃは、図４（ａ）、（ｂ）に示すように、円筒状の筒状壁５ｄを２つ備えるものである。また基部Ｂは、後方から前方に向かってそれぞれが平行に伸延するとともに、平面視にてトラック形状をなす、平板状の２つの底壁５ｅを有するものであって、各底壁５ｅの一端部（後方の端部）の下面には、２つの筒状壁５ｄのそれぞれを連結している。また、各底壁５ｅの上面には、底壁５ｅの外縁部から起立するベース環状壁５ｆが設けられている。これにより、ベース５ａには、上方を開放した２つの凹部空間Ｓが平行に設けられることになる。更に、底壁５ｅの一端部には、筒状壁５ｄの内側と凹部空間Ｓとを連通させる入口孔５ｇが形成され、底壁５ｅの他端部（前方の端部）には、凹部空間Ｓと外界とを連通させる出口孔５ｈが形成されている。また、２つのベース環状壁５ｆの相互間には、それらの上縁部同士を繋いだ平板状の連結壁５ｉと、連結壁５ｉの下面に設けられた補強リブ５ｊとが設けられている。更に、２つのベース環状壁５ｆの後方には、側面視で下面を傾斜させた（図２参照）形状になる連結リブ５ｋが設けられている。また、ベース５ａには、ヒンジ５ｃを設けた縁部（側縁部）に対向する他の縁部（他の側縁部）に、図示の例では爪状となる係合部５ｍが設けられている。
【００２２】
また、カバー５ｂは、平板状となる蓋壁５ｎを有するものであり、蓋壁５ｎには、ベース環状壁５ｆに対応する２つのカバー環状壁５ｐが設けられている。本実施形態においてカバー環状壁５ｐは、ヒンジ５ｃを折り曲げた際にベース環状壁５ｆの内周面に当接する外周面を有するものである。また、カバー５ｂの、ヒンジ５ｃを設けた側縁部に対向する他の側縁部には、摘み部５ｑが設けられ、この摘み部５ｑには、図示の例では貫通孔となる被係合部５ｒが形成されている。
【００２３】
上記のような構成となるノズル５は、図１、図２に示すようにヒンジ５ｃにて折り曲げることで、ベース環状壁５ｆの上方が蓋壁５ｎで閉鎖され、カバー環状壁５ｐの外周面がベース環状壁５ｆの内周面と当接する状態となる。また、ベース５ａの係合部５ｍとカバー５ｂの被係合部５ｒが係合するので、ノズル５はこの状態で保持される。そして、筒状壁５ｄをステム１ｃに挿入することで、容器１に嵌合保持される。
【００２４】
そして、図１、図２に示す状態からノズル５を押し下げると、２本のステム１ｃがともに下方に押し込まれ、それぞれのステム１ｃから内容物が噴出する。そしてステム１ｃから噴出させた内容物は、入口孔５ｇから凹部空間Ｓ内に導入されて、出口孔５ｈより外界に吐出される。
【００２５】
ノズル５の内側を洗浄するに当たっては、ノズル５を上方に引き上げてステム１ｃから取り外し、摘み部５ｑを外側に撓ませることで、係合部５ｍと被係合部５ｒとの掛かりを解除する。これにより、ノズル５の凹部空間Ｓは、図４（ａ）、（ｂ）に示すように上方が開放した状態となるので、凹部空間Ｓ内で詰まった内容物を簡単に取り除くことができる。
【００２６】
またノズル５において、２つの底壁５ｅ及びベース環状壁５ｆは、本実施形態のように互いに平行に伸延するものに限られず、例えば図５に示すノズル６のように、一対の底壁６ｅ及びベース環状壁６ｆのそれぞれが、後方から前方に向けて、互いの間隔が狭まる向きに傾斜するものであってもよい。なお、図５に示すノズル６は、図４（ａ）に示すノズル５の変形例であって、基本構成はノズル５と共通するため、図４（ａ）で付した符号「５」を、図５では符号「６」に置き換えて示すことで、各部の詳細な説明は省略する。このようなノズル６によれば、２つの出口孔６ｈ間の距離が狭くなるので、２種類の内容物をより混合させやすくすることができる。また、内容物の種類によっては、一対の底壁及びベース環状壁の間隔を更に狭めてＶ字状とし、１つの出口孔から吐出させることも可能である。
【００２７】
次に、図６〜図８を参照して、本発明に従うノズルの他の実施形態について説明する。
図６は、本発明に従うノズルの他の実施形態を、エアゾール容器に装着した状態で示す、正面視での半断面図であって、図７は、図６に示すノズルの要部を示す、側面視での断面図であって、図８は、図６に示すノズルを開放した状態で示す、（ａ）は平面図であり、（ｂ）は（ａ）に示すＢ−Ｂに沿う断面図である。なお、以下の説明において、先の実施形態と同じ名称を付した部位は、同一の機能を有するものである。
【００２８】
図６及び図７において、符号１０はエアゾール容器（以下、単に「容器」と称す場合もある）であり、符号２０はこの容器に取り付けられるカバー部材である。本実施形態でカバー部材は、外カバー４０のみで構成されている。また符号５０はノズルであり、符号７０はオーバーキャップである。
【００２９】
本実施形態でエアゾール容器１０は、金属製となる円筒状の容器本体１０ａに、同じく金属製となるマウンティングカップ１０ｂの外縁を巻き締め等によって固着したものであり、内側には２種類の内容物が別個に収容されている。また容器１０は、それぞれの内容物の収容空間に繋がる総計２本のステム１０ｃを有している。
【００３０】
外カバー４０は、ステム１０ｃを露出させる開口４０ａを有するとともに、マウンティングカップ１０ｂの上方に位置する上壁４０ｂを備えている。上壁４０ｂは、図６に示すように、その側方外縁から起立する連結壁４０ｃを介して外周壁４０ｇに繋がっている。また外周壁４０ｇの前方及び後方には、それぞれ開口４０ｅ、４０ｆ（図７参照）を設けている。更に、外周壁４０ｇの内面には、マウンティングカップ１０ｂに係合して外カバー４０を抜け止め保持する爪部Ｔを設けている。また、外周壁４０ｇの外面には、オーバーキャップ７０に係合する突起Ｐを設けている。
【００３１】
ノズル５０は、組み立て後は図６、図７に示す形態となるものであるが、組み立て前は、図８（ａ）、（ｂ）に示す形態となるものであって、ベース５０ａとカバー５０ｂとを、ヒンジ５０ｃを介して連結したものである。なお、ノズル５０の基本構成は、ノズル５と共通するため、図４（ａ）、（ｂ）で付した符号「５」を、図８（ａ）、（ｂ）では符号「５０」に置き換えて示すことで、詳細な説明は省略する。
【００３２】
オーバーキャップ７０は、外カバー４０及びノズル５０を内側に収めて外カバー４０に着脱自在に保持されるものであり、平板状の天井壁７０ａと、天井壁７０ａの外縁よりなだらかに湾曲しながら垂下する外壁７０ｂと、外壁７０ｂの内面に設けられ、外カバー４０の突起Ｐに係合する凸部７０ｃを備えている。
【００３３】
このように構成される容器１０から内容物を吐出させるに当たっては、図６、図７の状態からオーバーキャップ７０を取り外してノズル５０を押し下げる。これにより、２本のステム１０ｃがともに下方に押し込まれるので、それぞれのステム１０ｃから噴出した内容物は、入口孔５０ｇから凹部空間Ｓ内に導入されて、出口孔５０ｈより外界に吐出される。
【００３４】
また、ノズル５０の内側の洗浄を洗浄するに当たっては、ノズル５と同様に、上方に引き上げてステム１０ｃから取り外し、摘み部５０ｑを外側に撓ませて係合部５０ｍと被係合部５０ｒとの掛かりを解除する。これにより、ノズル５０の凹部空間Ｓは、図８（ａ）、（ｂ）に示すように上方が開放した状態となるので、凹部空間Ｓ内で詰まった内容物を簡単に取り除くことができる。
【００３５】
なお、本発明のノズルは、これらの実施形態に限定されるものではなく、種々の変更が可能である。例えば、前述の実施形態では、ベースの係合部を爪状とするとともに、カバーの被係合部を貫通孔としたが、相互に入れ換えて設けてもよく、また、貫通孔に代えて、爪部が引っ掛かる凹部を設けてもよい。更に、ベース環状壁の内周面にカバー環状壁の外周面が当接するようにしたが、ベース環状壁を取り囲むようにカバー環状壁を設け、ベース環状壁の外周面にカバー環状壁の内周面が当接するようにしてもよい。更に凹部空間Ｓは、前述のように２つのものが互いに平行に伸延するものや、後方から前方に向かって互いの間隔が狭くなるもの、或いはＶ字状になるもの（これらは、前述の他の実施形態のノズルにも適用できる）に限られず、２つの凹部空間を１つにまとめることで、２つの入口孔の両方から１つの凹部空間に内容物を導入するようにしてもよい。また接続部は、円筒状をなす２つの筒状壁で形成したが、例えばステムに対応する孔を設けた１つのブロックで構成してもよい。またノズルは、１種類の内容物を充填するとともに１つのステムを備えるエアゾール容器に適用することも可能であり、この場合は、入口孔、凹部空間Ｓ及び出口孔の組を、１組設けるようにすればよい。
【産業上の利用可能性】
【００３６】
本発明によれば、効率的に洗浄作業が行える上、詰まった内容物も簡単に取り除くことができる、新たなエアゾール容器用ノズルを提供できる。
【符号の説明】
【００３７】
１、１０  エアゾール容器（容器）
１ａ、１０ａ  容器本体
１ｂ、１０ｂ  マウンティングカップ
１ｃ、１０ｃ  ステム
２、２０  カバー部材
３  固定盤
３ａ  周壁
３ｂ  開口
３ｃ  天壁
３ｄ  スリット
３ｅ  係合爪
４、４０  外カバー
４ａ、４０ａ  開口
４ｂ、４０ｂ  上壁
４ｃ、４０ｃ  連結壁
４ｄ  頂壁
４ｅ、４ｆ、４０ｅ、４０ｆ  開口
４ｇ、４０ｇ  外周壁
４ｈ  係合孔
４ｉ  揺動片
４ｊ  連結片
５、６、５０  ノズル
５ａ、６ａ、５０ａ  ベース
５ｂ、６ｂ、５０ｂ  カバー
５ｃ、６ｃ、５０ｃ  ヒンジ
５ｄ、６ｄ、５０ｄ  筒状壁
５ｅ、６ｅ、５０ｅ  底壁
５ｆ、６ｆ、５０ｆ  ベース環状壁
５ｇ、６ｇ、５０ｇ  入口孔
５ｈ、６ｈ、５０ｈ  出口孔
５ｉ、６ｉ、５０ｉ  連結壁
５ｊ、６ｊ、５０ｊ  補強リブ
５ｋ、６ｋ、５０ｋ  連結リブ
５ｍ、６ｍ、５０ｍ  係合部
５ｎ、６ｎ、５０ｎ  蓋壁
５ｐ、６ｐ、５０ｐ  カバー環状壁
５ｑ、６ｑ、５０ｑ  摘み部
５ｒ、６ｒ、５０ｒ  被係合部
７０  オーバーキャップ
７０ａ  天井壁
７０ｂ  外壁
７０ｃ  凸部
Ｂ  基部
Ｃ  接続部
Ｐ  突起
Ｓ  凹部空間
Ｔ  爪部
【図１】
2014234189.tif 000003
【図２】
2014234189.tif 000004
【図３】
2014234189.tif 000005
【図４】
2014234189.tif 000006
【図５】
2014234189.tif 000007
【図６】
2014234189.tif 000008
【図７】
2014234189.tif 000009
【図８】
2014234189.tif 000010